【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】
モータにより作動される送出装置(８)、前記送出装置(８)から投出口(４４)へのコイン通路（２３）に配置したカウントセンサ(４１)、前記投出口(４４)の閉鎖位置(９７)と開放位置(９８)に選択的に移動可能であり、かつ、案内装置(５４)の一部(７４，７６)を構成するシャッタ(５２)、前記案内装置(５４)の一部(７４，７６)と係合し、前記シャッタ(５２)を前記閉鎖位置(９７)と開放位置(９８)に誘導すると共に前記閉鎖位置(９７)において保持する保持部(７２)を有する前記案内装置(５４)の他部(６６，６８)、前記シャッタ(５２)を前記モータのオンオフに連動して前記閉鎖位置と前記開放位置に選択移動する移動装置(５６)、を有するコインホッパの不正防止装置。
【請求項２】
前記案内装置(５４)の他部はカム溝(６６，６８)であり、ガイドボード(６４)に一対形成され、前記シャッタ(５２)の前記案内装置(５４)の一部である一対のスライドピン(７４，７６)が前記カム溝（６６，６８）にスライド可能に位置し、前記カム溝(６６，６８)はコイン通路(２３)に対し傾斜する傾斜部(７０)と並行する保持部(７２)を有する請求項１のコインホッパの不正防止装置。                
【手続補正２】
【補正対象書類名】明細書
【補正対象項目名】０００５
【補正方法】変更
【補正の内容】
【０００５】
【課題を解決するための手段】
この目的を達成するため、本発明のホッパは以下のように構成されている。
モータにより作動される送出装置、前記送出装置から投出口へのコイン通路）に配置したカウントセンサ、前記投出口の閉鎖位置と開放位置に選択的に移動可能であり、かつ、案内装置の一部を構成するシャッタ、前記案内装置の一部と係合し、前記シャッタを前記閉鎖位置と開放位置に誘導すると共に前記閉鎖位置において保持する保持部を有する前記案内装置の他部、前記シャッタを前記モータのオンオフに連動して前記閉鎖位置と前記開放位置に選択移動する移動装置、を有するコインホッパの不正防止装置である。
【手続補正３】
【補正対象書類名】明細書
【補正対象項目名】０００６
【補正方法】変更
【補正の内容】
【０００６】
この構成によれば、コインホッパが停止している場合、シャッタは移動装置によってその長手方向に移動される。
これにより、コイン通路に対して傾斜している案内装置の一部（カム溝）によって案内装置の他部（スライドピン）が案内され、前記案内装置の他部(スライドピン)と一体のシャッタはその長手方向に対し直交方向にスライドすることにより投出口を塞ぐ。
この塞いだ状態において、案内装置の他部（スライドピン）は案内装置の一部(カム溝)の保持部に位置するため、シャッタをこじ開けるように移動させた場合、保持部に直角方向に力が加わるのみであるので、シャッタを移動させることができない。
【手続補正４】
【補正対象書類名】明細書
【補正対象項目名】００１０
【補正方法】変更
【補正の内容】
【００１０】
図１は、本発明の実施例の不正防止装置を装着したコインホッパの分解斜視図である。
図２は、本発明の実施例の不正防止装置を装着したベースと回転ディスクの平面図である。
図３は、本発明の実施例の不正防止装置のシャッタが開放位置にあるときの正面図である。
図４は、図３におけるＸ−Ｘ線断面図である。
図５は、本発明の実施例の不正防止装置のシャッタが閉鎖位置にあるときの正面図である。
【手続補正５】
【補正対象書類名】明細書
【補正対象項目名】００１１
【補正方法】変更
【補正の内容】
【００１１】
コインホッパ２は、大凡ベース４、モータ(図示せず)によって駆動されるコイン５の送出装置８およびコイン５をバラ積み状態で保留する保留ボウル１０を備えている。
保留ボウル１０は、ベース４の上面１２に密着固定されている。
ベース４の上面12は傾斜しており、中央に円形凹部14が形成され、送出装置８である回転ディスク６が配置されている。
回転ディスク６には、等間隔にコインの通孔１６が複数形成され、回転ディスク６の回転によって通孔１６に落下したコインは、回転ディスク６下面の押出突起(図示せず)に押されつつ円形凹部１４の底面と周面に案内されて回転ディスク６と共に移動する。
円形凹部１４の一部周面に開口１８が形成され、前記コイン５が回転ディスク６の側方へ押し出される。
【手続補正６】
【補正対象書類名】明細書
【補正対象項目名】００１４
【補正方法】変更
【補正の内容】
【００１４】
移動ローラ２８、レバー３２、作用片３８およびセンサ４０は、コイン５のカウントセンサ４１を構成している。
凹溝２２の上部にガイドプレート４２が着脱可能に固定され、投出口４４が形成される。
したがって、投出口４４の直前は、断面スリット状のトンネル４６である。
固定ローラ２６はトンネル４６に位置している。
【手続補正７】
【補正対象書類名】明細書
【補正対象項目名】００１８
【補正方法】変更
【補正の内容】
【００１８】
カム溝６６は、コイン通路２３に対し傾斜する傾斜部７０と、コイン通路２３に対し平行な保持部72を有し、それら傾斜部７０と保持部７２は、同一幅であって連続しており、アングル形状である。
スライドピン７４および７６は、カム溝６６および６８を貫通しており、スライド可能である。
スライドピン７４および７６は、同一形状であるため、スライドピン７４を代表して説明する。
スライドピン７４の基部はシャッタ５２に固定され、スライドピン７４の頭部７８はピン部より大径である。
この頭部78とシャッタ52とでガイドボード６４をサンドイッチし、シャッタ５２がガイドボード６４に沿ってその長手方向およびコイン通路２３に対し直交方向に移動可能である。
したがって、スライドピン７４，７６をベース４に固定し、シャッタ５２にカム溝６６、６７を形成することができる。
【手続補正８】
【補正対象書類名】明細書
【補正対象項目名】００２２
【補正方法】変更
【補正の内容】
【００２２】
ソレノイド８0が励磁された場合、プランジャ82は引き込まれるので、スライドピン７４，７６は図５の位置から右方へ移動される。
これにより、スライドピン７４，７６は傾斜部７０によって案内されてコイン通路２３から離れる方向へ移動され、傾斜部７０の下端によって停止される。
これによりシャッタ５２は、ベース４に対し下方に移動し、図３および４に図示するように先端６０は移動孔５８内に引っ込み、コイン通路２３から退出する。
この位置が、シャッタ５２の開放位置９８である。
このシャッタ５２のコイン通路２３からの退避動は、回転ディスク６によるコインの送り出しに関連して行われる。
すなわち、回転ディスク６を回転するモータの作動開始に先立って行われる。
【手続補正９】
【補正対象書類名】明細書
【補正対象項目名】００２４
【補正方法】変更
【補正の内容】
【００２４】
【図面の簡単な説明】
【図１】
図１は、本発明の実施例の不正防止装置を装着したコインホッパの分解斜視図である。
【図２】
図２は、本発明の実施例の不正防止装置を装着したベースと回転ディスクの平面図である。
【図３】
図３は、本発明の実施例の不正防止装置のシャッタが開放位置にあるときの正面図である。
【図４】
図４は、図３におけるＸ−Ｘ線断面図である。
【図５】
図５は、本発明の実施例の不正防止装置のシャッタが閉鎖位置にあるときの正面図である。